(57)【要約】【課題】吸収性物品の一対の側壁部において、平面部の形状安定性を向上して着用者に対する平面部の密着性を向上するとともに平面部の柔軟性を高めて着用感を向上する。【解決手段】吸収性物品１では、本体部２の両側部上に設けられた一対の側壁部３４がそれぞれ、本体部２の側方エッジから内側に離れた本体部２上の位置から起立する起立部３４２、および、起立部３４２の上端から幅方向における外方へと広がるとともに着用者の肌に密着する平面部３４３を備える。吸収性物品１では、平面部３４３に帯状の弾性部材３２が設けられることにより、平面部３４３の形状安定性が向上され、着用者に対する平面部３４３の密着性が向上される。また、弾性部材３２の両端部の間の中間部が平面部３４３と非接合とされることにより、平面部３４３の柔軟性が高められ、吸収性物品１の着用感が向上される。【選択図】図２
2010005007.tif 000002
【特許請求の範囲】
【請求項１】
着用者からの排泄物を受ける吸収性物品であって、
バックシートとトップシートとの間に吸収コアが配置された略シート状の本体部と、
前記本体部の両側部上において前記本体部の長手方向のほぼ全長に亘って設けられた一対のサイドシートと、
を備え、
前記一対のサイドシートのそれぞれが、
前記長手方向の全長に亘って設けられた折り曲げ線の一方側の部位であり、前記本体部に接合される帯状の接合部と、
前記折り曲げ線の他方側の部位であり、一部が前記本体部から起立する側壁部と、
を備え、
前記側壁部が、
前記長手方向の両端部において前記接合部上に固定される２つの固定部と、
前記２つの固定部の間において前記２つの固定部から連続するとともに前記折り曲げ線から起立する起立部と、
前記２つの固定部の間において前記２つの固定部から連続し、前記起立部の上端から前記長手方向に垂直な前記本体部の幅方向に広がるとともに２つのシート部が積層された平面部と、
前記平面部の前記長手方向のほぼ全長に亘って前記平面部の前記２つのシート部の間に伸張状態にて配置され、前記長手方向の両端部が前記２つの固定部および前記平面部の少なくとも一方に接合されるとともに前記両端部の間の中間部が前記平面部と非接合とされ、収縮することにより前記平面部を収縮させてギャザーを形成する帯状の弾性部材と、
を備えることを特徴とする吸収性物品。
【請求項２】
請求項１に記載の吸収性物品であって、
前記弾性部材が、前記長手方向の前記両端部にて前記２つの固定部に接合されるとともに前記平面部の前記長手方向の全長に亘って前記平面部と非接合とされており、
前記平面部の前記２つのシート部が前記長手方向の全長に亘って非接合とされることを特徴とする吸収性物品。
【請求項３】
請求項１または２に記載の吸収性物品であって、
前記弾性部材が、
布状の部材により形成されるとともに重ねられて互いに接合された２つの帯状部と、
前記２つの帯状部の間において前記長手方向に沿って略平行かつ間隔をあけて伸びるとともに前記２つの帯状部に接合される複数の弾性糸と、
を備えることを特徴とする吸収性物品。
【請求項４】
請求項１ないし３のいずれかに記載の吸収性物品であって、
前記起立部が、前記本体部の側方エッジから離れた前記本体部上の位置から起立し、
前記平面部が、前記起立部の前記上端から前記幅方向における外方へと広がることを特徴とする吸収性物品。
【請求項５】
請求項４に記載の吸収性物品であって、
前記平面部において、前記平面部の外エッジから離れた位置に前記弾性部材が配置されることを特徴とする吸収性物品。
【請求項６】
請求項１ないし５のいずれかに記載の吸収性物品であって、
前記側壁部を前記長手方向に伸張した状態において、前記弾性部材の前記平面部と非接合とされる前記中間部の長さが、前記弾性部材の全長の６５％以上９０％以下とされることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつや下着に取り付けて使用される軽失禁用の吸収パッド等の吸収性物品では、幅方向の両側において着用者に向かって起立する一対の側壁部（いわゆる、立体ギャザー）が設けられており、これにより、尿等の排泄物の漏出防止が図られている。
【０００３】
例えば、特許文献１の吸収性物品では、幅方向の両側に設けられた防漏壁が、着用者に向かって起立する基壁部、および、基壁部の上端部に連設された面状の弾性伸縮部を備え、面状の弾性伸縮部を着用者の肌に平面的にフィットさせることにより尿等の漏れ防止が図られている。特許文献１の吸収性物品では、面状の弾性伸縮部の幅方向の両端、および、その間の部位に長手方向に伸びる複数の弾性糸が接合されている。
【０００４】
また、特許文献２の吸収性物品では、２層の防液性シートを積層して形成されたバリヤカフスにおいて、２層の防液性シートを長手方向に伸びる線状の接合部にて接合することにより、２層の防液性シートの間に長手方向に伸びる複数の中空部が形成され、これらの中空部に弾性糸が防液性シートに接合されることなく配置される。
【０００５】
特許文献３の吸収性物品では、トップシートの幅方向の中央部と両側部とが長手方向の全長に亘ってベース層（吸収コア）またはバックシートに接合され、当該中央部と両側部との間の非接着領域においてトップシートとベース層との間に長手方向に伸びる弾性糸が配置される。弾性糸は、両端部においてトップシートおよびベース層に接着され、両端部の間の部位は非接着部分とされる。特許文献３の吸収性物品では、弾性糸が収縮することによりトップシートの非接着領域がベース層から離間して立ち上がり、フローティング内側カフスが形成される。
【０００６】
一方、特許文献４の使い捨ておむつでは、股下部の左右両側においてトップシートとバックシートとの間に形成された３本の管状部に弾性糸がそれぞれ接着等されることなく挿入されており、これらの弾性糸が収縮することによりレッグギャザーが形成される。
【特許文献１】特許第３９１９６３８号公報
【特許文献２】国際公開第ＷＯ９５／０７０６３号パンフレット
【特許文献３】特許第２９４１２９０号公報
【特許文献４】特許第３４７９３８３号公報
【発明の開示】
【発明が解決しようとする課題】
【０００７】
ところで、特許文献１のように側壁部に平面部が設けられた吸収性物品では、平面部が縒れる等して変形すると、着用者の脚周りから平面部が部分的に離間してしまい、平面部と着用者の肌との隙間から尿等が漏出する恐れがある。また、平面部の全幅に亘って複数の弾性糸が接合されているため、これらの弾性糸が着用者の肌に強く当たり、吸収性物品の着用感の向上に限界がある。
【０００８】
本発明は、上記課題に鑑みなされたものであり、吸収性物品の一対の側壁部において、平面部の形状安定性を向上して着用者に対する平面部の密着性を向上するとともに平面部の柔軟性を高めて着用感を向上することを目的としている。
【課題を解決するための手段】
【０００９】
請求項１に記載の発明は、着用者からの排泄物を受ける吸収性物品であって、バックシートとトップシートとの間に吸収コアが配置された略シート状の本体部と、前記本体部の両側部上において前記本体部の長手方向のほぼ全長に亘って設けられた一対のサイドシートとを備え、前記一対のサイドシートのそれぞれが、前記長手方向の全長に亘って設けられた折り曲げ線の一方側の部位であり、前記本体部に接合される帯状の接合部と、前記折り曲げ線の他方側の部位であり、一部が前記本体部から起立する側壁部とを備え、前記側壁部が、前記長手方向の両端部において前記接合部上に固定される２つの固定部と、前記２つの固定部の間において前記２つの固定部から連続するとともに前記折り曲げ線から起立する起立部と、前記２つの固定部の間において前記２つの固定部から連続し、前記起立部の上端から前記長手方向に垂直な前記本体部の幅方向に広がるとともに２つのシート部が積層された平面部と、前記平面部の前記長手方向のほぼ全長に亘って前記平面部の前記２つのシート部の間に伸張状態にて配置され、前記長手方向の両端部が前記２つの固定部および前記平面部の少なくとも一方に接合されるとともに前記両端部の間の中間部が前記平面部と非接合とされ、収縮することにより前記平面部を収縮させてギャザーを形成する帯状の弾性部材とを備える。
【００１０】
請求項２に記載の発明は、請求項１に記載の吸収性物品であって、前記弾性部材が、前記長手方向の前記両端部にて前記２つの固定部に接合されるとともに前記平面部の前記長手方向の全長に亘って前記平面部と非接合とされており、前記平面部の前記２つのシート部が前記長手方向の全長に亘って非接合とされる。
【００１１】
請求項３に記載の発明は、請求項１または２に記載の吸収性物品であって、前記弾性部材が、布状の部材により形成されるとともに重ねられて互いに接合された２つの帯状部と、前記２つの帯状部の間において前記長手方向に沿って略平行かつ間隔をあけて伸びるとともに前記２つの帯状部に接合される複数の弾性糸とを備える。
【００１２】
請求項４に記載の発明は、請求項１ないし３のいずれかに記載の吸収性物品であって、前記起立部が、前記本体部の側方エッジから離れた前記本体部上の位置から起立し、前記平面部が、前記起立部の前記上端から前記幅方向における外方へと広がる。
【００１３】
請求項５に記載の発明は、請求項４に記載の吸収性物品であって、前記平面部において、前記平面部の外エッジから離れた位置に前記弾性部材が配置される。
【００１４】
請求項６に記載の発明は、請求項１ないし５のいずれかに記載の吸収性物品であって、前記側壁部を前記長手方向に伸張した状態において、前記弾性部材の前記平面部と非接合とされる前記中間部の長さが、前記弾性部材の全長の６５％以上９０％以下とされる。
【発明の効果】
【００１５】
本発明では、平面部の形状安定性を向上して着用者に対する平面部の密着性を向上するとともに平面部の柔軟性を高めて着用感を向上することができる。また、請求項３の発明では、平面部の柔軟性をより高めることができ、請求項４の発明では、着用者に対する平面部の密着性をより向上することができる。
【発明を実施するための最良の形態】
【００１６】
図１は、本発明の一の実施の形態に係る吸収性物品１を示す平面図であり、吸収性物品１は、着用者が着用する外装物品である下着の着用者側に取り付けられて着用者からの尿等の排泄物を受ける軽失禁用の吸収パッドである。吸収性物品１は、パッケージ等における表示吸収量が約２００ｍｌ（ミリリットル）以下である吸収パッドであり、本実施の形態では、吸収性物品１の表示吸収量は２０ｍｌ以上４０ｍｌ以下とされる。ただし、吸収性物品１の実際の吸収量は表示吸収量よりも大きい。図１では、着用者に接する面（すなわち、着用者側）を手前側にして吸収性物品１を描いている。
【００１７】
図２は、吸収性物品１を図１中に示すＡ−Ａの位置にて吸収性物品１の長手方向（すなわち、図１中の上下方向）に垂直な面で切断した断面図であり、図３は、吸収性物品１の図１中における上側の端部近傍の部位をＢ−Ｂの位置にて長手方向に垂直な面で切断した断面図である。吸収性物品１では、図１中における下側の端部近傍の部位も、図３に示す断面と同様の構造を有する。
【００１８】
図１および図２に示すように、吸収性物品１は、バックシート２３、制臭シート２４、吸収コア２２およびトップシート２１が着用者側とは反対側から順に積層された略シート状の本体部２、並びに、本体部２の両側部上において（すなわち、長手方向に垂直な幅方向の両側において）本体部２の長手方向のほぼ全長に亘って設けられた一対のサイドシート３を備える。本体部２では、トップシート２１とバックシート２３との間に配置された吸収体である吸収コア２２の着用者側の主面がトップシート２１により覆われ、吸収コア２２の着用者側とは反対側の主面がバックシート２３により覆われる。トップシート２１およびバックシート２３は、ホットメルト接着剤等により吸収コア２２および制臭シート２４の周囲にて互いに接合される。図２では、図示の都合上、本体部２の各構成およびサイドシート３を分離して描いている（図３、並びに、図５ないし図７においても同様）。
【００１９】
トップシート２１は透液性のシート材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２０】
吸収コア２２は、厚さ方向に積層された２層のコア部材２２１，２２２を備える。コア部材２２１，２２２はそれぞれ、親水性繊維（例えば、粉砕したパルプ繊維やセルロース繊維）に粒状の吸水性ポリマー（例えば、ＳＡＰ（Super Absorbent Polymer））を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２１】
なお、コア部材２２１，２２２の構造は、上記構造には限定されず、各コア部材は、例えば、２枚の不織布の間に粒状の高吸水性ポリマーをホットメルト接着剤等により固定した上で当該２枚の不織布をホットメルト接着剤やヒートシール等により接合した構造とされてもよい。このような構造のコア部材では、高吸水性ポリマーは、それぞれが長手方向に連続的に伸びる帯状であって幅方向に配列された複数の領域に固定され、当該複数の領域の隙間（すなわち、高吸水性ポリマーの非存在領域）において２枚の不織布がヒートシール等により接合されることにより、高吸水性ポリマーの複数の存在領域が個別に封止されることが好ましい。また、吸収コア２２は、例えば、１つのコア部材により構成されてもよい。
【００２２】
バックシート２３は、撥水性または不透液性のプラスチックフィルムであり、トップシート２１を透過した排泄物が、本体部２の外部へとしみ出すことを防止する。吸収性物品１のムレを防止して着用者の快適性を向上するという観点からは、透湿性（すなわち、通気性）を有するプラスチックフィルムがバックシート２３として利用されることが好ましい。バックシート２３としては、撥水性または不透液性の不織布（例えば、スパンボンド不織布やメルトブロー不織布、ＳＭＳ不織布）や当該不織布の着用者側に撥水性または不透液性のプラスチックフィルムが積層された積層シートが利用されてもよい。
【００２３】
制臭シート２４は、制臭剤を含有する親水性のシート部材であり、制臭シート２４を形成する親水性繊維としては、例えば、セルロースやパルプが用いられる。制臭剤としては、好ましくは金属（例えば、銀、銅、亜鉛、鉄、ニッケルコバルト、パラジウム、白金）を担持するゼオライト等の無機多孔結晶が用いられる。
【００２４】
一対のサイドシート３はそれぞれ、図１および図２に示すように、撥水性または不透液性のシート部材であるサイドシート本体３１に、長手方向に伸びる帯状の弾性部材３２が部分的に接合されることにより形成される。本実施の形態では、サイドシート本体３１には弾性部材３２以外の弾性部材は接合されない。サイドシート本体３１は、例えば、スパンボンド不織布、メルトブロー不織布、ＳＭＳ不織布、または、エアスルー不織布により形成される。また、サイドシート本体３１は、プラスチックフィルムや上記不織布とプラスチックフィルムとが積層された積層シートにより形成されてもよく、この場合、透湿性を有するプラスチックフィルムが利用されることにより、吸収性物品１のムレが防止されて着用者の快適性が向上される。
【００２５】
図４は、図２中の弾性部材３２を拡大して示す断面図である。図４に示すように、弾性部材３２は、不織布により形成される２枚の帯状部材３２１，３２２、および、長手方向に伸びる２本の弾性糸３２３を備える。２枚の帯状部材３２１，３２２は、長手方向に伸びるとともに重ねられてホットメルト接着剤等により互いに接合される。２本の弾性糸３２３は、２枚の帯状部材３２１，３２２の間において、長手方向に沿って略平行かつ間隔をあけて配置され、伸張状態にて２枚の帯状部材３２１，３２２に接合される。弾性糸３２３としては、ポリウレタン糸や糸状の天然ゴム等が用いられる。本実施の形態では、弾性部材３２の幅は、５ｍｍ以上７０ｍｍ以下（より好ましくは、８ｍｍ以上６５ｍｍ以下）とされる。
【００２６】
なお、弾性部材３２は、必ずしも２枚の帯状部材３２１，３２２により形成される必要はなく、例えば、１枚の帯状の布状部材が長手方向に伸びる折り返し線にて２つ折りにされて重ねられ、折り返し線の両側の２つの帯状部が、間に複数の弾性糸３２３を挟んで接合されることにより弾性部材３２が形成されてもよい。また、２枚の帯状部材３２１，３２２は、布状の部材により形成されるのであれば、必ずしも不織布により形成される必要はない。
【００２７】
図２および図３に示すように、一対のサイドシート３はそれぞれ、長手方向の全長に亘って設けられた折り曲げ線３９の一方側の部位である帯状の接合部３３、および、折り曲げ線３９の他方側の部位である側壁部３４を備える。接合部３３は、本体部２の側方エッジ近傍において長手方向の全長に亘って本体部２の着用者側にホットメルト接着剤を介して接合され、側壁部３４は、折り曲げ線３９にて着用者側へと折り曲げられるとともにその一部（後述する起立部３４２（図２参照））が本体部２から起立する。
【００２８】
側壁部３４は、図３に示すように、長手方向の両端部において接合部３３上に重ねられてヒートシールにより接合部３３上に固定される２つの固定部３４１を備える。図１では、図の理解を容易にするために、一対の側壁部３４の各固定部３４１に平行斜線を付している。なお、固定部３４１の接合部３３に対する固定は、超音波接合やホットメルト接着剤による接着、あるいは、ヒートシールとホットメルト接着剤による接着の組み合わせ等により行われてもよい。
【００２９】
側壁部３４は、また、図２に示すように、本体部２の側方エッジよりも内側に位置する折り曲げ線３９から（すなわち、本体部２の側方エッジから内側に離れた本体部２上の位置から）着用者側へと起立する起立部３４２、および、起立部３４２の上端（すなわち、着用者側の端部）から幅方向における外方へと広がる平面部３４３を備える。本実施の形態では、起立部３４２の高さが数ｍｍ程度と極めて小さくされるが、側壁部３４では、もっと高い起立部３４２が設けられてもよい。
【００３０】
平面部３４３は、２つのシート部（以下、図２中の上側および下側のシート部をそれぞれ、「第１平面シート部３４３１」および「第２平面シート部３４３２」という。）が積層されることにより形成されており、第１平面シート部３４３１と第２平面シート部３４３２とは長手方向の全長に亘って非接合とされる。側壁部３４では、弾性部材３２が、第１平面シート部３４３１と第２平面シート部３４３２との間において平面部３４３の外エッジ３４３３（すなわち、幅方向の外側のエッジ）から離れた位置に平面部３４３の全長に亘って配置される。平面部３４３および起立部３４２は、図１に示すように、２つの固定部３４１の間において２つの固定部３４１から連続している。
【００３１】
各サイドシート３では、２つの固定部３４１の間に弾性部材３２が伸張状態にて配置されており、弾性部材３２は、長手方向の両側の端部３２４にて２つの固定部３４１に接合される。また、弾性部材３２の両端部３２４の間の中間部３２５（すなわち、平面部３４３の第１平面シート部３４３１および第２平面シート部３４３２の間の部位）は、平面部３４３の長手方向の全長に亘って平面部３４３と非接合とされる。弾性部材３２の中間部３２５の長さは、側壁部３４を長手方向に伸張した状態において、好ましくは弾性部材３２の全長の６５％以上９０％以下とされる。吸収性物品１では、各サイドシート３の弾性部材３２が収縮することにより平面部３４３が収縮してギャザーが形成される。
【００３２】
吸収性物品１が着用者に装着される際には、各サイドシート３に設けられた弾性部材３２が収縮することにより、本体部２の側方において側壁部３４の起立部３４２が着用者側に向かって起立するとともに平面部３４３が収縮してギャザーが形成される。すなわち、側壁部３４の固定部３４１の間の部位が立ち上がって立体ギャザーとなり、平面部３４３の着用者側の面である第１平面シート部３４３１（図２参照）が、着用者の足の付け根近傍の肌に対向する。そして、平面部３４３が足の付け根近傍の部位の形状に沿って変形しつつ第１平面シート部３４３１が足の付け根近傍の肌に密着する。
【００３３】
このように、一対のサイドシート３の各側壁部３４が、幅が大きい平面部３４３にて着用者の肌に密着することにより、尿等の排泄物が平面部３４３よりも外側に移動して吸収性物品１から漏出することが防止される。吸収性物品１では、各サイドシート３において、平面部３４３を収縮させる弾性部材として帯状の弾性部材３２が第１平面シート部３４３１と第２平面シート部３４３２との間に設けられることにより、第１平面シート部３４３１と第２平面シート部３４３２との間に糸状の弾性部材のみが設けられる場合に比べて平面部３４３の形状安定性が向上される。これにより、平面部３４３の縒れ等が防止され、着用者に対する平面部３４３の密着性を向上することができる。その結果、サイドシート３の側壁部３４からの排泄物の漏出（いわゆる、横漏れ）がより確実に防止される。
【００３４】
吸収性物品１では、各側壁部３４において、弾性部材３２の中間部３２５が平面部３４３と非接合とされることにより、平面部３４３の柔軟性（いわゆる、クッション性）が高められる。その結果、吸収性物品１の着用感が向上される。また、弾性部材３２が、側壁部３４の固定部３４１のみに接合され、平面部３４３の長手方向の全長に亘って平面部３４３と非接合とされることにより、平面部３４３の柔軟性がより高められ、吸収性物品１の着用感がさらに向上される。
【００３５】
側壁部３４では、弾性部材３２が平面部３４３の外エッジ３４３３から幅方向の内側に離れた位置に配置されることにより、平面部３４３において着用者に比較的強く接触する外エッジ３４３３近傍の部位の柔軟性が高められる。これにより、吸収性物品１の着用感がより向上される。また、上述のように、弾性部材３２の平面部３４３と非接合とされる中間部３２５の長さが、弾性部材３２の全長の６５％以上とされることにより、柔軟な平面部３４３の長さが十分に確保されて吸収性物品１の着用感が向上され、さらに、中間部３２５の長さが弾性部材３２の全長の９０％以下とされることにより、弾性部材３２の両端部３２４（すなわち、弾性部材３２の中間部３２５の両側の部位）の長さが十分に確保されて弾性部材３２の固定部３４１に対する接合がより確実なものとされる。
【００３６】
サイドシート３では、側壁部３４の平面部３４３が、起立部３４２の上端から幅方向における外方へと広がることにより、平面部３４３が着用者の足の付け根近傍に沿いやすい形状となる。その結果、着用者に対する平面部３４３の密着性をより向上することができる。
【００３７】
吸収性物品１では、弾性部材３２として、帯状のポリウレタンフィルムや帯状の天然ゴム等が用いられてもよいが、上述のように、弾性部材３２が、重ねられた２枚の帯状部材３２１，３２２の間に複数の弾性部材３２が接合された構造とされることにより、帯状のポリウレタンフィルム等が利用される場合に比べて弾性部材３２の強度が高くされる。これにより、平面部３４３の形状安定性がより向上され、平面部３４３の着用者に対する密着性をさらに向上することができる。また、弾性部材３２の製造コストを低減することもできる。
【００３８】
以上、本発明の実施の形態について説明してきたが、本発明は上記実施の形態に限定されるものではなく、様々な変更が可能である。
【００３９】
例えば、弾性部材３２の両端部３２４は、側壁部３４の固定部３４１と平面部３４３との境界を跨いで固定部３４１および平面部３４３の双方に接合されてもよい。また、弾性部材３２は、必ずしも平面部３４３の全長に亘って設けられる必要はなく、伸張状態において平面部３４３の長さよりも多少短い弾性部材３２が、固定部３４１と重なることなく平面部３４３の長手方向のほぼ全長に亘って設けられてもよい。この場合、弾性部材３２の両端部３２４は平面部３４３の固定部３４１近傍の部位に接合される。すなわち、各サイドシート３では、弾性部材３２の長手方向の両端部３２４は、２つの固定部３４１および平面部３４３の少なくとも一方に接合される。
【００４０】
図５ないし図７は、本発明に係る吸収性物品の他の例を示す断面図である。図５に示す吸収性物品１ａでは、側壁部３４の起立部３４２ａが、本体部２の側方エッジから内側に離れた本体部２上の位置から着用者側かつ幅方向における外方に向かって起立し、本体部２の側方エッジのおよそ上方に位置する起立部３４２ａの上端から、平面部３４３が幅方向における内方へと広がる。
【００４１】
図６に示す吸収性物品１ｂでは、側壁部３４の起立部３４２ｂが、本体部２の側方エッジ上から着用者側へと起立し、本体部２の側方エッジのおよそ上方に位置する起立部３４２ｂの上端から、平面部３４３が幅方向における内方へと広がる。また、図７に示す吸収性物品１ｃでは、側壁部３４の起立部３４２ｃが、本体部２の側方エッジから内側に離れた本体部２上の位置から着用者側へと起立し、平面部３４３は起立部３４２ｃの上端から幅方向における外方および内方へと広がる。
【００４２】
図５ないし図７に示す吸収性物品１ａ〜１ｃにおいても、図１に示す吸収性物品１と同様に、平面部３４３の長手方向の全長に亘って第１平面シート部３４３１および第２平面シート部３４３２の間に伸張状態にて配置される帯状の弾性部材３２が設けられ、弾性部材３２の両端部３２４（図１参照）が側壁部３４の２つの固定部３４１（図１参照）に接合されるとともに弾性部材３２の中間部３２５が平面部３４３と非接合とされる。これにより、平面部３４３の形状安定性が向上されて着用者に対する平面部３４３の密着性を向上することができ、さらに、平面部３４３の柔軟性が高められて吸収性物品の着用感が向上される。
【００４３】
上述の吸収性物品の構造は、軽失禁パッド以外にも、使い捨ておむつや使い捨ておむつの着用者側に取り付けて使用される補助吸収具、あるいは、生理用ナプキンやパンティライナー等の様々な吸収性物品に適用されてよい。
【図面の簡単な説明】
【００４４】
【図１】一の実施の形態に係る吸収性物品を示す平面図である。
【図２】吸収性物品の断面図である。
【図３】吸収性物品の断面図である。
【図４】弾性部材の断面図である。
【図５】他の吸収性物品の断面図である。
【図６】他の吸収性物品の断面図である。
【図７】他の吸収性物品の断面図である。
【符号の説明】
【００４５】
１，１ａ〜１ｃ    吸収性物品
２    本体部
３    サイドシート
２１    トップシート
２２    吸収コア
２３    バックシート
３２    弾性部材
３３    接合部
３４    側壁部
３９    折り曲げ線
３２１，３２２    帯状部材
３２３    弾性糸
３２４    端部
３２５    中間部
３４１    固定部
３４２，３４２ａ〜３４２ｃ    起立部
３４３    平面部
３４３１    第１平面シート部
３４３２    第２平面シート部
３４３３    外エッジ
【図１】
2010005007.tif 000003
【図２】
2010005007.tif 000004
【図３】
2010005007.tif 000005
【図４】
2010005007.tif 000006
【図５】
2010005007.tif 000007
【図６】
2010005007.tif 000008
【図７】
2010005007.tif 000009